(57)【要約】    【課題】通信サービスを円滑に利用させることのできる通信サービスの申込方法を提供する。    【解決手段】通信サービスの開通に必要な情報を含む少なくとも一つのメッセージ（ＳＭＳメッセージ等）を生成する段階と、生成されたメッセージを、前記通信サービスの開通をサポートするサーバーに送信する段階と、前記サーバーと前記通信サービスの開通対象との間に、前記通信サービスの開通のための呼を接続する段階と、接続された呼を通じて前記通信サービスの開通処理を実行する段階と、を含む。【選択図】図１
2006246483.tif 000002
【特許請求の範囲】
【請求項１】
通信サービスの開通を申し込む方法であって、
通信サービスの開通に必要な情報を含む少なくとも一つのメッセージを生成する段階と、
生成されたメッセージを、前記通信サービスの開通をサポートするサーバーに送信する段階と、
前記サーバーと前記通信サービスの開通対象との間に、前記通信サービスの開通のための呼を接続する段階と、
接続された呼を通じて前記通信サービスの開通処理を実行する段階と、
を含むことを特徴とする通信サービスの申込方法。
【請求項２】
前記メッセージは、ショートメッセージサービス、電子メールサービス、長文メッセージサービス、マルチメディアメッセージサービスのいずれかによるメッセージを含むことを特徴とする請求項１に記載の通信サービスの申込方法。
【請求項３】
前記サーバーは、ＯＴＡ（Over-the-air）サーバーであることを特徴とする請求項１に記載の通信サービスの申込方法。
【請求項４】
前記通信サービスの開通に必要な情報は、前記サーバーの識別番号を含むことを特徴とする請求項１に記載の通信サービスの申込方法。
【請求項５】
前記通信サービスの開通に必要な情報は、前記開通対象の識別番号を含むことを特徴とする請求項１に記載の通信サービスの申込方法。
【請求項６】
前記通信サービスの開通に必要な情報は、前記開通対象のユーザーの人的情報を含むことを特徴とする請求項１に記載の通信サービスの申込方法。
【請求項７】
前記通信サービスの開通に必要な情報は、前記通信サービスの利用に関する情報を含むことを特徴とする請求項１に記載の通信サービスの申込方法。
【請求項８】
前記通信サービスの利用に関する情報は、前記通信サービスの利用時に使用を希望する番号、前記通信サービスの料金制、料金支払い方式及び付加サービス選択事項のうちの少なくとも一つを含むことを特徴とする請求項７に記載の通信サービスの申込方法。
【請求項９】
前記メッセージは、前記通信サービスの開通の申し込みのためのメッセージであることを示す識別情報を含むことを特徴とする請求項１に記載の通信サービスの申込方法。
【請求項１０】
通信サービスの開通に必要な情報を含む少なくとも一つのメッセージを生成するメッセージ生成部、
生成したメッセージを、前記通信サービスの開通をサポートするサーバーに送信する送信部と、
前記サーバーから前記通信サービスの開通完了を知らせるメッセージを受信する受信部と、
を含んで構成されることを特徴とする通信端末機。
【請求項１１】
通信サービスの開通を申し込むためのメッセージ又は該メッセージに含まれる前記通信サービスの開通に必要な情報を受信すると、前記通信サービスの開通対象との間に前記通信サービスの開通のための呼を接続し、
この接続した呼を介して前記通信サービスの開通処理を実行し、
該通信サービスの開通処理が完了すると、開通完了を知らせるメッセージを前記通信サービスの開通対象に送信することを特徴とするサーバー。
【請求項１２】
前記メッセージ又は該メッセージに含まれる前記通信サービスに開通に必要な情報は、メッセージセンターを介して送信されることを特徴とする請求項１１に記載のサーバー。
【発明の詳細な説明】
【技術分野】
【０００１】
本発明は、通信サービスの申し込みに関し、特に、通信サービスの開通を申し込む方法、これに用いる通信端末機及びサーバーに関する。
【背景技術】
【０００２】
従来、通信サービス事業者は、通信端末機の加入者が申し込んだ（要求する）資料を伝送する無線通信サービスを提供してきた。その最も代表的なものとして、ＯＴＡ(Over-The-Air)サービスがある。
【０００３】
ここで、ＯＴＡ(Over-The-Air)サービスでは、例えば、加入者がサービスカスタマーセンターへ資料（データ）を要求すると、該サービスカスタマーセンターから加入者の通信端末機へ資料を伝送するようになっている。
【０００４】
このようなＯＴＡサービスを受けるためには、加入者は、サービスカスタマーセンターに直接電話(ＯＴＡ  ＣＡＬＬ)をかけなければならず、該ＯＴＡ  ＣＡＬＬを通じて希望する資料に関する情報を知らせることになる。
【０００５】
かかるＯＴＡサービスを利用することによって、加入者は、自分の通信端末機を通じて希望する資料を受け取ることができる。一方、サービス事業者は、ＯＴＡサービスを通じて各種広告の提供をすることができるという利点がある。
【０００６】
ところで、従来は、通信サービスを受けるためには、これに先立って、加入者がサービスカスタマーセンターに通信サービスのための開通を申し込む（利用開始を申請する）必要がある。ここで、仮に、上記ＯＴＡサービスを利用して開通の申し込みをする場合には、加入者が、サービスカスタマーセンターに直接電話（ＯＴＡ  ＣＡＬＬ）をかけて通信サービスのための開通を申し込まなければならなかった。
【発明の開示】
【発明が解決しようとする課題】
【０００７】
しかしながら、もし、加入者が、円滑に信号が送受信されない地域に位置しているような場合には、サービスカスタマーセンターに電話をかけて開通の申し込みをすることができない（ＯＴＡ  ＣＡＬＬを送信できない）。このため、円滑に信号が送受信される地域に移動してから開通の申し込みをしなければならず（換言すれば、開通の申し込みをしようとしたときに、申し込みできない場合があり）、加入者に煩わしさを与えるという問題があった。また、ＯＴＡ  ＣＡＬＬによって通信サービスの開通の申し込みができる場合であっても、事前に開通の申し込みや開通情報の変更等を行うことができるなど、より便利で容易な方法があることが望ましい。
【０００８】
本発明は、このような問題に鑑みてなされたものであり、その目的は、通信サービスを円滑に利用させることのできる通信サービスの申込方法、通信端末機及びサーバーを提供することにある。
【０００９】
本発明の他の目的は、通信サービスの円滑な利用のために短文メッセージサービス（ショートメッセージサービス）を用いて通信サービスの開通を申し込むことのできる通信サービスの申込方法、通信端末機及びサーバーを提供することにある。
【００１０】
本発明のさらに他の目的は、円滑に信号が送受信されない地域でショートメッセージサービスを用いて、通信サービスの開通を申し込むことのできる通信サービスの申込方法、通信端末機及びサーバーを提供することにある。
【課題を解決するための手段】
【００１１】
上記目的を達成するために、本発明に係る通信サービスの申込方法は、通信サービスの開通を申し込む方法であって、前記通信サービスの開通に必要な情報を含む少なくとも一つのメッセージを生成する段階と、生成されたメッセージを、前記通信サービスの開通をサポートするサーバーに送信する段階と、前記サーバーと前記通信サービスの開通対象との間に、前記通信サービスの開通のための呼を接続する段階と、接続された呼を通じて前記通信サービスの開通処理を実行する段階と、を含むことを特徴とする。
【００１２】
ここで、好ましくは、前記メッセージは、ショートメッセージサービス、電子メールサービス、ロングメッセージサービス、マルチメディアメッセージサービスのいずれかによるメッセージである。
【００１３】
好ましくは、前記サーバーは、ＯＴＡ（Over-the-air）サーバーである。
【００１４】
好ましくは、前記通信サービスの開通に必要な情報は、（前記メッセージの受信番号（reception number）に該当する）前記サーバーの識別番号、（前記メッセージの送信番号（transmission number）に該当する）前記通信サービスの開通対象の識別番号、前記開通対象の使用者（ユーザー）に関する固有の人的情報などを含む。
【００１５】
また、前記通信サービスの開通に必要な情報は、前記通信サービスの利用に関する情報を含み、該通信サービスの利用に関する情報は、前記通信サービスの利用時に使用を希望する番号、前記通信サービスの料金制、料金支払い方式及び付加サービス選択事項のうちの少なくとも一つを含む。
【００１６】
好ましくは、前記メッセージは、前記通信サービスの開通申込のためのメッセージであることを表す識別情報を含む。
【００１７】
また、上記目的を達成するために、本発明に係る通信端末機は、通信サービスの開通に必要な情報を含む少なくとも一つのメッセージを生成するメッセージ生成部（ブロック）と、前記生成されたメッセージを、前記通信サービスの開通をサポートするサーバーに送信する送信部（ブロック）と、前記サーバーから前記通信サービスの開通完了を知らせるメッセージを受信する受信部（ブロック）と、を含んで構成されるものにした。
さらにまた、本発明に係るサーバーは、通信サービスの開通を申し込むためのメッセージ又は該メッセージに含まれる前記通信サービスの開通に必要な情報を受信すると、前記通信サービスの開通対象との間に前記通信サービスの開通のための呼を接続し、この接続した呼を介して前記通信サービスの開通処理を実行し、該通信サービスの開通処理が完了すると、開通完了を知らせるメッセージを前記通信サービスの開通対象に送信することを特徴とする。ここで、前記メッセージ又は該メッセージに含まれる前記通信サービスに開通に必要な情報は、例えば、前記メッセージを受信したメッセージセンターを介して送信される。また、前記メッセージは、例えば、前記通信サービスの開通対象である通信端末機で生成され、送信されるものである。
【発明の効果】
【００１８】
本発明によれば、ＳＭＳメッセージ等を用いて通信サービスの開通を申し込んだり、事前に開通情報の変更を申し込んだりすることができるため、例えば、ユーザーが、円滑に信号が送受信されない地域に位置していて通話による申し込みができないような場合であっても通信サービスを容易に申し込むことが可能になる。
【００１９】
また、本発明によれば、円滑に信号が送受信されない地域（ＯＴＡ  ＣＡＬＬを送信できない場合等）であってもＯＴＡサービスの実現が可能になる。
【発明を実施するための最良の形態】
【００２０】
以下、本発明に係る通信サービスの申込方法とそのための通信端末機に関する好適な実施形態について、添付の図面を参照しつつ詳細に説明する。ただし、以下の実施形態は、本発明の構成及び作用をより明瞭にするために例示したものであり、これらの実施形態によって本発明の技術的思想、その特徴的な構成及び作用が制限されるものではない。
【００２１】
また、本発明に適用される通信端末機は、移動性が保障される移動通信端末機がより好ましく、移動通信サービスやショートメッセージサービスをサポートする。
【００２２】
図１は、本発明の好ましい実施形態に係る通信サービスの申し込みのためのシステム構成、及び通信サービスのための開通（利用開始）の申し込み手続きを示すフローチャートである。なお、以下では、通信サービスの開通を申し込むための送信メッセージをショートメッセージサービス(Short Message Service；以下、「ＳＭＳ」という)によるＳＭＳメッセージとする例を説明しているが、本発明の適用範囲がＳＭＳメッセージに限定されるものではない。
【００２３】
また、本実施形態では、通信サービスの開通を申し込むために、ＯＴＡサービスとＳＭＳとをサポートしており、このため、ユーザーは、通信サービスの開通のために、ＯＴＡサービスとＳＭＳの何れかを選択することができる。但し、以下では、通信サービスの開通を申し込むために、ユーザーがＳＭＳを選択した場合について説明する。
【００２４】
一方、図２（ａ）〜（ｃ）は、本発明の好ましい実施形態に係る通信サービスの開通を申し込む手続きを説明するための図である。
【００２５】
図１に示すように、本実施形態に係るシステムは、通信端末機１０、基地局２０、ＳＭＳセンター３０及びＯＴＡサーバー４０を含んで構成される。
【００２６】
まず、基地局２０は、通信端末機１０とＳＭＳセンター３０との間でＳＭＳメッセージを中継する。また、基地局２０は、通信端末機１０とＯＴＡサーバー４０との間で通信サービスの開通に関する信号を中継する。
【００２７】
通信端末機１０は、通信サービスの開通対象（すなわち、当該通信サービスの利用を開始しようとする対象）であって、ＳＭＳメッセージを生成する。そして、その生成されたＳＭＳメッセージを、基地局２０を経由してＳＭＳセンター３０に送信する。
【００２８】
ここで、ＳＭＳメッセージは、通信サービスの開通を申し込むためのものであり、通信サービスの開通のための所定の開通情報（以下、「サービス開通情報」という）を含んでいる。また、ＳＭＳメッセージは、通信サービスの開通のためのメッセージであることを表す識別情報も含む。
【００２９】
ＳＭＳセンター３０は、受信したＳＭＳメッセージの識別情報から、該ＳＭＳメッセージが通信サービスの開通を申し込むために送られてきたものであるかを確認し、そうであれば、当該ＳＭＳメッセージまたはＳＭＳメッセージに含まれるサービス開通情報を、ＯＴＡサーバー４０に送信する。このときに、ＳＭＳセンター３０が、ＯＴＡサーバー４０に、上記サービス開通情報をＳＭＳメッセージとして送信するか、あるいは、他の送信形態で伝達するかは、どのようなシステムを採用するかによって異なってくる（つまり、いずれの方法でＯＴＡサーバー４０に送信してもよい）。
【００３０】
ここで、上記サービス開通情報には、例えば、受信番号（reception number）、送信番号（transmission number）、ユーザ(＝加入者)の個人情報、及びサービス関連情報(通信サービスの利用時にユーザーが使用を希望する番号、通信サービスの料金制、料金支払い方式、付加サービス選択事項等)が含まれる。
【００３１】
ここで、上記受信番号は、ＳＭＳメッセージの受信番号であって、ＯＴＡサーバー４０に付与された固有の識別番号である。
【００３２】
また、上記送信番号は、ＳＭＳメッセージを送信する通信端末機１０に付与された固有の識別番号である。例えば、通信端末機１０の電話番号、機器番号、ＥＳＮ(Electronic Serial Number)などである。
【００３３】
また、上記個人情報には、加入者名、住民番号等の個人を特定できる情報が含まれる。
【００３４】
また、上記サービス関連情報には、ユーザーが希望している番号、ユーザーが選択した料金制、料金支払い方式、料金支払い情報(加入者住所、割引情報等)、付加サービス選択事項などがある。
【００３５】
通信端末機１０は、上記サービス開通情報を含むＳＭＳメッセージを作成するためのメニューを備える。もちろん、このメニューは、他の通信端末機１０に送信すべき一般的なＳＭＳメッセージの作成もサポートする。
【００３６】
通信端末機１０は、ＳＭＳのための一つ以上の管理メニュー（MESSAGING）を有し、この管理メニューは、複数のサブメニューを有する。これらサブメニューには、新規のメッセージを作成するためのメニューと、受信したメッセージを管理するメニューと、送信されたメッセージを管理するメニューなどがある。
【００３７】
通信端末機１０は、ユーザーがＳＭＳを要請すると、図２（ａ）に示すように、複数のサブメニューをディスプレイする。
【００３８】
図２（ａ）において、「１.New Msg」は、新規のメッセージを作成するためのサブメニューであり、「2.Inbox」は、受信したメッセージを管理するためのサブメニューであり、「3.Sent」は、送信されたメッセージを管理するためのサブメニューである。
【００３９】
ユーザーが「1.New Msg」を選択すると、通信端末機１０は、新規のメッセージを作成するためのメニュー環境（CREATE MSG）を提供する。ユーザーは、まず、受信番号であるＯＴＡサーバー４０の識別番号を入力し、続いて通信サービスの開通情報を入力する。なお、図２（ｂ）は、受信番号入力例を示しており、図２（ｃ）は、サービス開通情報の入力例を示している。
【００４０】
ユーザーがＯＴＡサーバー４０の識別番号を入力すると、図２（ｃ）に示すような編集ボックスに自動変換される。そして、編集ボックスでサービス開通情報の入力を完了すると、通信端末機１０は、送信するＳＭＳメッセージを生成する。
【００４１】
一方、上述したサービス開通情報(受信番号、送信番号、使用者の個人情報及びサービス関連情報)は、サービス事業者によって異なることがある。したがって、サービス開通情報は、図２に示す例に限定されるものではなく、通信サービスの開通に要求される情報としてその範囲が定められる。
【００４２】
次に、通信サービスの開通のためのＳＭＳメッセージの構成例について述べる（表１参照）。
【００４３】
【表１】
2006246483.tif 000003
【００４４】
本実施形態に係るＳＭＳメッセージは、当該ＳＭＳメッセージが通信サービスの開通を申し込むメッセージであることを表す「BLOCK_ID」フィールドを有する。例えば、上記表１において、「BLOCK_ID」フィールド値が“０００１００００”であれば、当該ＳＭＳメッセージが通信サービスの開通を申し込むメッセージであることを表すものとする。したがって、ＳＭＳセンター３０は、「BLOCK_ID」フィールド値が“０００１００００”であるＳＭＳメッセージが受信されると、それをＯＴＡサーバー４０に伝達する。また、ＳＭＳセンター３０は、通信サービスの開通が完了すると、そのことを知らせるＳＭＳメッセージを通信端末機１０に送信する。
【００４５】
また、上記表１において、「データサイズ」フィールドは、サービス開通情報が挿入される各ＳＭＳメッセージのデータ領域サイズを表し、「データ」フィールドは、０サービス開通情報に該当する開通データを表す。
【００４６】
この開通データは、下記表２で説明される。表２は、開通データフォーマットの一例を示している。なお、下記表２は、開通データが複数のＳＭＳメッセージに分けて送信される場合までをも考慮したものである。
【００４７】
すなわち、本実施形態では、開通データを一つのＳＭＳメッセージに載せて送ることができない場合には、サービス開通情報に該当する開通データを複数のＳＭＳメッセージの各データ領域に分けて送信するようになっている。このため、開通データ全体は複数のセグメント（segments）で構成されている。
【００４８】
【表２】
2006246483.tif 000004
【００４９】
上記表２において、「LAST_SEGMENT」フィールドは、開通データを構成する複数のセグメントのうち、最後のセグメントを表すものである。これにより、開通データの送信に使用されるＳＭＳメッセージのうち、最後のセグメントが挿入されたデータ領域を有するＳＭＳメッセージを見分ける。
【００５０】
例えば、現在のＳＭＳメッセージのデータ領域に、サービス開通情報の最後の部分が挿入されていると「LAST_SEGMENT」フィールド値が「１」であり、そうでないと「LAST SEGMENT」フィールド値が「０」である。
【００５１】
また、上記表２において、「SENGMENT_OFFSET」フィールドは、開通データを構成するセグメントのうち、現在のＳＭＳメッセージのデータ領域に挿入されたセグメントが何番目に当るのかを表すものである。
【００５２】
例えば、最初のセグメントが挿入されたＳＭＳメッセージの「SENGMENT_OFFSET」フィールド値が１０であり、単位Offset値が１０のときに、４番目のセグメントが挿入されたＳＭＳメッセージの「SENGMENT_OFFSET」フィールド値は４０である。
【００５３】
また、下記表３は、上記表２における「SEGMENT_DATA」フィールドに該当するもので、通信サービス開通のために転送される開通データの一例を示す。
【００５４】
【表３】
2006246483.tif 000005
【００５５】
表３において、希望番号は、通信サービスのためにユーザーが使用を希望する番号で、ユーザーが希望する番号を少なくとも一つ入力すると、その番号がユーザーの希望番号として定められる。
ここで、希望番号は通信サービスのために使用される番号全体または一部に該当する。サービス事業者は、希望番号のうちの一つを通信端末機１０またはユーザーの固有番号として付与する。ところが、希望番号が既に付与されていれば、例えば、希望番号に類似する番号を付与する。この希望番号の例としては、ＭＩＮ(Mobile Identification Number)がある。
【００５６】
表３における「料金支払い方式」フィールドで定義されるパラメータを、下記表４に例示する。
【００５７】
【表４】
2006246483.tif 000006
【００５８】
下記表５は、上記表４における「郵便振替（ＧＩＲＯ）」パラメータの構成を示したものである。ここで、住所は、振替用紙を受け取る加入者の住所をいう。
【００５９】
【表５】
2006246483.tif 000007
【００６０】
下記表６は、上記表４における「口座振替」パラメータの構成を示したものである。
【００６１】
【表６】
2006246483.tif 000008
【００６２】
下記表７は、上記表４における「クレジットカード決済」パラメータの構成を示したものである。
【００６３】
【表７】
2006246483.tif 000009
【００６４】
上述したＳＭＳメッセージを受信したＯＴＡサーバー４０は、通信サービスの開通をサポートする。ＯＴＡサーバー４０は、ＳＭＳメッセージに含まれた識別情報から、通信サービスの開通の申し込みがあることを確認する。続いて、ＯＴＡサーバー４０は、最後のセグメントを含むＳＭＳメッセージまでの受信を完了した後に、すなわち、開通データ全体を受信後に、その応答を通信端末機１０に送信する。あるいは、ＯＴＡサーバー４０への開通全体データの受信が完了すると、通信端末機１０と相談員との間の通話が可能となるように接続される。
【００６５】
ここで、上記応答は、ＯＴＡサーバー４０が、直接、通信端末機１０に送信するＯＴＡＰＡ(OTA Parameter Administration)である。
その後、ＯＴＡサーバー４０は、通信サービスの開通処理を実行する。続いて、ＯＴＡサーバー４０は、通信サービスの開通が完了したことを通知するための通知メッセージを、ＳＭＳセンター３０を介して、通信端末機１０に送信する。
【００６６】
このようにして、通信サービスの開通申し込みが成功（完了）する。
【００６７】
以下、通信サービスの開通の申し込み手続きについて説明する（図１参照）。
【００６８】
ユーザーは、通信端末機１０に備えられるメニューを通じて通信サービスの開通のためのサービス開通情報を入力し、通信端末機１０は、この入力されたサービス開通情報を含むＳＭＳメッセージを生成する。
【００６９】
通信端末機１０は、生成した通信サービスの開通の申し込みのためのＳＭＳメッセージを、基地局２０を経由してＳＭＳセンター３０に送信する(Ｓ１１)。このＳＭＳメッセージには、上述したように、受信番号、送信番号、サービス開通情報等が含まれる。
【００７０】
また、前記ＳＭＳメッセージには、該ＳＭＳメッセージが通信サービスの開通申し込みのためのメッセージであることを示す識別情報がさらに含まれる。
したがって、ＳＭＳセンター３０は、その識別情報に基づいて、受信したＳＭＳメッセージが一般のメッセージか、通信サービスの開通申し込みのためのものかを見分ける。
【００７１】
受信したＳＭＳメッセージが通信サービスの開通の申し込みのためのものであれば、ＳＭＳセンター３０は、通信サービスの開通の申し込みがあったことを、ＯＴＡサーバー４０に通知する(Ｓ１２)。このときに、ＳＭＳセンター３０は、受信したＳＭＳメッセージをＯＴＡサーバー４０に伝達することが好ましいのであるが、本実施形態では、ＳＭＳセンター３０が、受信したＳＭＳメッセージからサービス開通情報を抽出した後に、この抽出したサービス開通情報をＯＴＡサーバー４０に通報することも可能である。
【００７２】
このような開通の申し込みに応じて、ＯＴＡサーバー４０は、ＯＴＡＰＡ(OTA Parameter Administration)を通信端末機１０に送信する(Ｓ１３)。このＯＴＡＰＡを通じて通信サービスの開通のための呼を接続する。なお、ＯＴＡサーバー４０は、開通の申し込みに応じて通信端末機１０と相談員との間の通話を接続する場合もある。
【００７３】
このようにして接続された呼を介して、ＯＴＡサーバー４０は、当該通信サービスの開通処理を開始する(Ｓ１４)。その後、開通処理が完了したら、ＯＴＡサーバー４０は、ＳＭＳセンター３０を介して、開通完了を通知するためのＳＭＳメッセージを通信端末機１０に伝送する(Ｓ１５、Ｓ１６)。
【００７４】
以上では、本発明が通信サービスの開通に適用された実施形態について説明したが、これに限るものではなく、本発明は、通信サービスに対する前述のサービス開通情報を変更する場合にも同様に適用されるものである。
【００７５】
すなわち、ＳＭＳメッセージに通信サービスに関連するサービス開通情報の変更を示す識別情報を含めるとともに、変更情報をそのＳＭＳメッセージに含めてＯＴＡサーバー４０に送信する。これによって、通信サービスのための以前のサービス開通情報の全部または一部を変更する。
また、上記実施形態では、通信サービスの開通対象である通信端末機１０が、通信サービスの開通を申し込むためのメッセージを生成し、送信しているが、これに限るものではなく、通信サービスの開通を申し込むためのメッセージを、通信サービスの開通対象である通信端末機１０以外で生成し、送信するようにしてもよい。
【００７６】
以上では、具体例に挙げて本発明を説明してきたが、これら具体例に限定されず、本発明の技術思想を逸脱しない範囲で種々の変更及び修正が可能であることは、本発明が属する技術分野における通常の知識を持つ者にとって明らかである。したがって、本発明の技術的範囲は、明細書の詳細な説明に記載された内容に限定されてはならず、特許請求の範囲により定められるべきである。
【図面の簡単な説明】
【００７７】
【図１】本発明の実施形態に係る通信サービスの申し込みのためのシステム構成と、通信サービスのための開通申し込み手続きを示すフローチャートである。
【図２】通信サービスの開通を申し込む手続きを説明するための図である。
【符号の説明】
【００７８】
１０  通信端末機
２０  基地局
３０  ＳＭＳセンター
４０  ＯＴＡサーバー
【図１】
2006246483.tif 000010
【図２】
2006246483.tif 000011